(57)【特許請求の範囲】
【請求項１】
上面に開口部が形成され、下面が開放され、該上面に連続して形成された側面の下端周縁に外方に突出した凸条が周設された容器本体と、この容器本体の上面に形成され、ヒンジにより回動可能に接合されて前記開口部を覆う小蓋と、この小蓋のヒンジ形成側とは反対側の端縁に形成され、容器本体の上面と嵌合可能に止められるフックボタンと、底板の周縁に底周壁が立設され、底周壁の先端縁から下方に向けて第２底周壁が吊設され、該第２底周壁の先端縁から上方に向けて第３底周壁が立設され、前記第２底周壁と第３底周壁とは断面形状Ｕ字状の嵌合溝を形成している底蓋と、からなり、容器本体の側面の先端縁が底蓋の嵌合溝と嵌合して密封されるウェットシート用容器であって、
前記底蓋の第２底周壁上方に容器本体との嵌合をガイドする突起を外方に向けて同一平面上に多数周設させたことを特徴とするウェットシート用容器。
【請求項２】
前記底蓋の嵌合溝の下方には、容器本体の側面の下縁の食い込み防止のための仕切り板状のリブが前記突起の頂部に対応して設けられていることを特徴とする請求項１記載のウェットシート用容器。
【請求項３】
前記底蓋の底周壁と第２底周壁の間には、前記突起に対応して仕切り板状の第２リブが突起の頂部並びにリブと同一直線上に並ぶように配置されていることを特徴とする請求項１又は２記載のウェットシート用容器。
【発明の詳細な説明】
【０００１】
【発明の属する技術分野】
本発明は、水やアルコール等を含浸させたウェットシート等を収納する容器に関するものである。
【０００２】
【従来の技術】
従来、紙、不織布等の繊維素材に水やアルコールなどの清浄液を含浸させたウェットシートが手などの身体の汚れを落とすものとして多用されている。また、最近では、身体のほかにも、各種機器等の汚れ落としなどにもウェットシートが多用されている。
【０００３】
ウェットシートは、紙や不織布等に目的に応じた液体を含浸させたものであるが、この液体は水やアルコールなどが主体であるために、ウェットシートを収納する容器としては密封性の高いもので易開封性を有するものが要求される。
【０００４】
このような水やアルコールを含浸させたウェットシートを収納する容器で、容器本体と底蓋が嵌合形式で一体化され、かつ、容器本体の上面にヒンジで開閉可能な小蓋を取り付け、小蓋を開閉することによりウェットシートを取り出すタイプの容器として、例えば、図５、図６に示すような、ウェットシート用容器がある。
【０００５】
図５は、容器本体の側壁（３１２）の凸条（３１４）から下の部分が底蓋の嵌合溝（３４５）にすっぽりと嵌め込まれて容器本体と底蓋との嵌合が完了するタイプで、また、図６は、容器本体の側面（３１２）の先端縁（３１５）は、嵌合溝の第３底周壁の端縁で固定されると共に、底板の嵌合溝（３４５）に設けた仕切り板状のリブ（３４７）で固定されるタイプである。
【０００６】
前者の方式は、デザインに制限があるため、嵌合溝の深さを大きくとることができず、また、後者の方式は、リブを数多く設けなければならず、金型が複雑になったり、成形性不良が発生するという問題がある。
【０００７】
【発明が解決しようとする課題】
本発明は、容器本体と底蓋が嵌合形式で一体化され、かつ、容器本体の上面にヒンジで開閉可能な小蓋を取り付け、小蓋を開閉することによりウェットシートを取り出すタイプの容器に関する以上のような問題点を解決するためになされたもので、底蓋の容器本体との嵌合部分の成形性を向上させ、底蓋自体の強度をアップさせたウェットシート用容器を提供することを課題とする。
【０００８】
【課題を解決するための手段】
本発明の請求項１の発明は、上面に開口部が形成され、下面が開放され、該上面に連続して形成された側面の下端周縁に外方に突出した凸条が周設された容器本体と、この容器本体の上面に形成され、ヒンジにより回動可能に接合されて前記開口部を覆う小蓋と、この小蓋のヒンジ形成側とは反対側の端縁に形成され、容器本体の上面と嵌合可能に止められるフックボタンと、底板の周縁に底周壁が立設され、底周壁の先端縁から下方に向けて第２底周壁が吊設され、該第２底周壁の先端縁から上方に向けて第３底周壁が立設され、前記第２底周壁と第３底周壁とは断面形状Ｕ字状の嵌合溝を形成している底蓋と、からなり、容器本体の側面の先端縁が底蓋の嵌合溝と嵌合して密封されるウェットシート用容器であって、前記底蓋の第２底周壁上方に容器本体との嵌合をガイドする突起を外方に向けて同一平面上に多数周設させたことを特徴とするウェットシート用容器である。
【０００９】
このように、底蓋の第２底周壁上方に容器本体との嵌合をガイドする突起を外方に向けて同一平面上に多数周設させたので、嵌合溝の上縁から奥方に向けて傾斜が付くことにより、容器本体の側壁は突起がガイドとなって嵌合溝に自然に入り易くなる。
【００１０】
また、請求項２の発明は、第１の発明において、前記底蓋の嵌合溝の下方には、容器本体の側面の下縁の食い込み防止のための仕切り板状のリブが前記突起の頂部に対応して設けられていることを特徴とするウェットシート用容器である。
【００１１】
このように、底蓋の嵌合溝の下方には、容器本体の側面の下縁の食い込み防止のための仕切り板状のリブが前記突起の頂部に対応して設けられているので、容器本体の側面を嵌合溝に嵌め込んだ際、容器本体が必要以上に押し込まれることがない。
【００１２】
また、請求項３の発明は、第１又は第２の発明において、前記底蓋の底周壁と第２底周壁の間には、前記突起に対応して仕切り板状の第２リブが突起の頂部並びにリブと同一直線上に並ぶように配置されていることを特徴とするウェットシート用容器である。
【００１３】
このように、底蓋の底周壁と第２底周壁の間には、前記突起に対応して仕切り板状の第２リブが突起の頂部並びにリブと同一直線上に並ぶように配置されているので、底蓋の底周壁が変形することがなく、底蓋の特に横方向からの強度が補強される。
【００１４】
【発明の実施の形態】
本発明のウェットシート用容器を一実施形態に基づいて以下に詳細に説明する。
本発明のウェットシート用容器は、例えば、図１〜図３に示すように、上面に開口部（１１１）が形成され、下面が開放され、該上面に連続して形成された側面（１１２）の下端（１１３）周縁に外方に突出した凸条（１１４）が周設された容器本体（１１）と、この容器本体の上面に形成され、ヒンジ（１２１）により回動可能に接合されて前記開口部を覆う小蓋（１２）と、この小蓋のヒンジ形成側とは反対側の端縁に形成され、容器本体の上面と嵌合可能に止められるフックボタン（１３）と、底板（１４１）の周縁に底周壁（１４２）が立設され、底周壁の先端縁から下方に向けて第２底周壁（１４３）が吊設され、該第２底周壁の先端縁から上方に向けて第３底周壁（１４４）が立設され、前記第２底周壁と第３底周壁とは断面形状Ｕ字状の嵌合溝（１４５）を形成している底蓋（１４）と、からなり、容器本体の側面の先端縁（１１４）が底蓋の嵌合溝（１４５）と嵌合して密封されるウェットシート用容器であって、前記底蓋の第２底周壁上方に容器本体との嵌合をガイドする半球状の突起（１４６）を外方に向けて同一平面上に多数周設させたウェットシート用容器（１０）としたもので、通常は、ポリプロピレンなどの剛性を有する熱可塑性樹脂を射出成形して作製するものである。
【００１５】
底蓋（１４）の第２底周壁（１４３）の上方に、半球状の突起（１４６）を外方に向けて同一平面上に多数周設させたことにより、容器本体を底蓋と嵌合させるべく、底蓋の嵌合溝（１４５）に合わせようとすると、傾斜した突起の表面がガイドとなって、容器本体の側面（１１２）は容易に嵌合溝（１４５）に入り、嵌合が完了する。
【００１６】
また、底蓋の嵌合溝（１４５）の下方に、仕切り板状のリブ（１４７）を半球状の突起（１４６）の頂部に対応して配置することにより、容器本体の側面（１１２）の先端縁（１１５）が必要以上に嵌合溝（１４５）に食い込まないように防止している。
【００１７】
さらに、底蓋の底周壁（１４２）と第２底周壁（１４３）の間に、半球状の突起（１４６）に対応して、仕切り板状の第２リブ（１４８）を半球状の突起の頂部並びにリブと同一直線上に並ぶように配置することにより、底蓋の周壁が変形することがなくなり底蓋の強度は補強される（図４参照）。
【００１８】
【発明の効果】
上記のように、本発明のウェットシート用容器は、容器本体との嵌合時のガイドとなる突起を底蓋の第２底周壁の一部を変化させて形成させることにより、リブと同等の役目を持たせることができた。
また、底蓋と一体化させることにより、成形時の不良（ショートモールド）を無くすることができ、強度もアップする。
【図面の簡単な説明】
【図１】本発明のウェットシート用容器の一実施例を示す、斜視説明図である。
【図２】本発明のウェットシート用容器の一実施例を示す、断面説明図である。
【図３】本発明のウェットシート用容器の底蓋の一実施例を示す、（ａ）は平面説明図であり、（ｂ）は突起の有る状態の部分断面説明図であり、（ｃ）は突起のない状態の部分断面説明図である。
【図４】本発明のウェットシート用容器の底蓋を裏側から見た状態の一実施例を示す、平面説明図である。
【図５】従来のウェットシート用容器の、容器本体と底蓋との嵌合状態を示す、部分断面説明図である。
【図６】従来の別のウェットシート用容器の、容器本体と底蓋との嵌合状態を示す、部分断面説明図である。
【符号の説明】
１０‥‥ウェットシート用容器
１１‥‥容器本体
１１１‥‥開口部
１１２‥‥側面
１１３‥‥下端
１１４‥‥凸条
１１５‥‥先端縁
１２‥‥小蓋
１２１‥‥ヒンジ
１３‥‥フックボタン
１４‥‥底蓋
１４１‥‥底板
１４２‥‥底周壁
１４３‥‥第２底周壁
１４４‥‥第３底周壁
１４５‥‥嵌合溝
１４６‥‥突起
１４７‥‥リブ
１４８‥‥第２リブ
３１２‥‥側壁
３１４‥‥凸条
３１５‥‥先端縁
３４５‥‥嵌合溝
３４７‥‥リブ
【図１】
0003959977.tif 000002
【図２】
0003959977.tif 000003
【図３】
0003959977.tif 000004
【図４】
0003959977.tif 000005
【図５】
0003959977.tif 000006
【図６】
0003959977.tif 000007